(57)【要約】【課題】降雨時に使用する際にも表示画面に表示されている情報の視認性を良好に保つこと。【解決手段】駆動されて情報を表示する表示部１３を備える情報表示装置１において、表示部１３上に雨滴が付着する状況を検出する雨滴検出部１５と、雨滴検出部１５により表示部１３に雨滴が付着していることが検出されると、表示部１３における表示形態を変更する制御部１７とを備える。【選択図】図１
2011002382.tif 000002
【特許請求の範囲】
【請求項１】
駆動されて情報を表示する表示部を備える情報表示装置において、
上記表示部に液滴が付着したか否かを検出する液滴検出部と、
上記液滴検出部により上記表示部に液滴が付着していることが検出されると、上記表示部における表示形態を変更する表示形態制御部と、
を備える、
ことを特徴とする情報表示装置。
【請求項２】
駆動されて情報を表示する表示部を備える情報表示装置において、
上記表示部に液滴が付着したか否かを検出する液滴検出部と、
上記液滴検出部により上記表示部に液滴が付着していることが検出されると、上記情報に文字情報を含むときには、上記表示部における文字サイズを変更する表示形態制御部と、
を備える、
ことを特徴とする情報表示装置。
【請求項３】
駆動されて情報を表示する表示部を備える情報表示装置において、
上記表示部に液滴が付着したか否かを検出する液滴検出部と、
上記液滴検出部により上記表示部に液滴が付着していることが検出されると、上記表示部における上記情報の表示サイズを変更する表示形態制御部と、
を備える、
ことを特徴とする情報表示装置。
【請求項４】
駆動されて情報を表示する表示部を備える情報表示装置において、
上記表示部に液滴が付着したか否かを検出する液滴検出部と、
上記液滴検出部により上記表示部に液滴が付着していることが検出されると、上記表示部におけるアプリケーション選択メニューの表示形態を変更する表示形態制御部と、
を備える、
ことを特徴とする情報表示装置。
【請求項５】
駆動されて情報を表示する表示部を備える情報表示装置において、
上記表示部のいずれの部分に液滴が付着したかを検出する液滴検出部と、
上記液滴検出部により上記表示部のいずれかの部分に液滴が付着していることが検出されると、上記表示部における上記液滴が付着している部分に限定して上記情報の表示サイズを変更する表示形態制御部と、
を備える、
ことを特徴とする情報表示装置。
【請求項６】
請求項１から５のいずれか１項記載の情報表示装置を備えることを特徴とするナビゲーション装置。
【請求項７】
情報処理装置にインストールすることにより、その情報処理装置に、
請求項１から５のいずれか１項記載の情報表示装置の前記表示形態制御部の機能を実現する、
ことを特徴とするプログラム。
【請求項８】
駆動されて表示部に情報を表示する情報表示装置が行う表示形態変更方法において、
上記表示部に液滴が付着したか否かを検出する液滴検出ステップと、
上記液滴検出ステップの処理により上記表示部に液滴が付着していることが検出されると、上記表示部における表示形態を変更する表示形態変更ステップと、
を有する、
ことを特徴とする表示形態変更方法。
【発明の詳細な説明】
【技術分野】
【０００１】
本発明は、情報表示装置、ナビゲーション装置、プログラムおよび表示形態変更方法に関する。
【背景技術】
【０００２】
ＧＰＳ(Global Positioning
System)を利用したナビゲーション装置は、自動車や船舶に搭載して利用されるものが広く知られているが、近年では、ＰＮＤ(Potable Navigation Device)が普及しつつある。
【０００３】
特に、ＰＮＤの可搬性を利用し、自動車や船舶での利用にとどまらず、オートバイ、自転車または歩行者による利用も考慮された製品がある。たとえば特許文献１には、車載時と携帯時とで入力方式および／または出力方式を変更するＰＮＤが提案されている。
【０００４】
また、オートバイ、自転車または歩行者による利用も考慮されたＰＮＤでは、ＰＮＤ本体が雨に晒される可能性がある。このため、防水構造または防滴構造を有するＰＮＤもある。
【先行技術文献】
【特許文献】
【０００５】
【特許文献１】特開２００４−２４５７１１号公報
【発明の概要】
【発明が解決しようとする課題】
【０００６】
防水構造または防滴構造を有するＰＮＤでは、ＰＮＤの表示画面が雨に晒される際、水滴が表示画面に付着することにより、表示画面に表示されている情報の視認が困難になる場合がある。
【０００７】
すなわち、液晶などを用いた表示画面においては、表示画面表面に水滴が付着すると、水滴が光を屈折させ、特に表示中の小さい文字、画像等の視認性が悪化する。
【０００８】
本発明は、このような背景の下に行われたものであって、降雨時に使用する際にも表示画面に表示されている情報の視認性を良好に保つことができる情報表示装置、ナビゲーション装置、プログラムおよび表示形態変更方法を提供することを目的とする。
【課題を解決するための手段】
【０００９】
本発明の１つの観点は、情報表示装置としての観点である。すなわち、本発明の情報表示装置は、駆動されて情報を表示する表示部を備える情報表示装置において、表示部に液滴が付着したか否かを検出する液滴検出部と、液滴検出部により表示部に液滴が付着していることが検出されると、表示部における表示形態を変更する表示形態制御部と、を備えるものである。
【００１０】
あるいは、本発明の情報表示装置は、駆動されて情報を表示する表示部を備える情報表示装置において、表示部に液滴が付着したか否かを検出する液滴検出部と、液滴検出部により表示部に液滴が付着していることが検出されると、情報に文字情報を含むときには、表示部における文字サイズを変更する表示形態制御部と、を備えるものである。
【００１１】
あるいは、本発明の情報表示装置は、駆動されて情報を表示する表示部を備える情報表示装置において、表示部に液滴が付着したか否かを検出する液滴検出部と、液滴検出部により表示部に液滴が付着していることが検出されると、表示部における情報の表示サイズを変更する表示形態制御部と、を備えるものである。
【００１２】
あるいは、本発明の情報表示装置は、駆動されて情報を表示する表示部を備える情報表示装置において、表示部に液滴が付着したか否かを検出する液滴検出部と、液滴検出部により表示部に液滴が付着していることが検出されると、表示部におけるアプリケーション選択メニューの表示形態を変更する表示形態制御部と、を備えるものである。
【００１３】
あるいは、本発明の情報表示装置は、駆動されて情報を表示する表示部を備える情報表示装置において、表示部のいずれの部分に液滴が付着したかを検出する液滴検出部と、液滴検出部により表示部のいずれかの部分に液滴が付着していることが検出されると、表示部における液滴が付着している部分に限定して情報の表示サイズを変更する表示形態制御部と、を備えるものである。
【００１４】
本発明の他の観点は、ナビゲーション装置としての観点である。すなわち、本発明のナビゲーション装置は、本発明の情報表示装置を備えるものである。
【００１５】
本発明のさらに他の観点は、プログラムとしての観点である。すなわち、本発明のプログラムは、情報処理装置にインストールすることにより、その情報処理装置に、本発明の情報表示装置の表示形態制御部の機能を実現するものである。
【００１６】
本発明のさらに他の観点は、表示形態変更方法としての観点である。すなわち、本発明の表示形態変更方法は、駆動されて表示部に情報を表示する情報表示装置が行う表示形態変更方法において、表示部に液滴が付着したか否かを検出する液滴検出ステップと、液滴検出ステップの処理により表示部に液滴が付着していることが検出されると、表示部における表示形態を変更する表示形態変更ステップと、を有するものである。
【００１７】
あるいは、本発明の表示形態変更方法は、駆動されて表示部に情報を表示する情報表示装置が行う表示形態変更方法において、表示部に液滴が付着したか否かを検出する液滴検出ステップと、液滴検出ステップの処理により表示部に液滴が付着していることが検出されると、情報に文字情報を含むときには、表示部における文字サイズを変更する表示形態変更ステップと、を有するものである。
【００１８】
あるいは、本発明の表示形態変更方法は、駆動されて表示部に情報を表示する情報表示装置が行う表示形態変更方法において、表示部に液滴が付着したか否かを検出する液滴検出ステップと、液滴検出ステップの処理により表示部に液滴が付着していることが検出されると、表示部における情報の表示サイズを変更する表示形態変更ステップと、を有するものである。
【００１９】
あるいは、本発明の表示形態変更方法は、駆動されて表示部に情報を表示する情報表示装置が行う表示形態変更方法において、表示部に液滴が付着したか否かを検出する液滴検出ステップと、液滴検出ステップの処理により表示部に液滴が付着していることが検出されると、表示部におけるアプリケーション選択メニューの表示形態を変更する表示形態変更ステップと、を有するものである。
【００２０】
あるいは、本発明の表示形態変更方法は、駆動されて表示部に情報を表示する情報表示装置が行う表示形態変更方法において、表示部のいずれの部分に液滴が付着したかを検出する液滴検出ステップと、液滴検出ステップの処理により表示部のいずれかの部分に液滴が付着していることが検出されると、表示部における液滴が付着している部分に限定して情報の表示サイズを変更する表示形態変更ステップと、を有するものである。
【発明の効果】
【００２１】
本発明によれば、降雨時に使用する際にも表示画面に表示されている情報の視認性を良好に保つことができる。
【図面の簡単な説明】
【００２２】
【図１】本発明の実施の形態に係る情報表示装置の要部ブロック構成図である。
【図２】図１の制御部の表示形態変更に関する動作を示すフローチャートである。
【図３】図１の表示部における表示例その１を説明するための図である。
【図４】図１の表示部における表示例その２を説明するための図である。
【図５】図１の表示部における表示例その３を説明するための図である。
【図６】図１の表示部における表示例その４を説明するための図である。
【図７】図１の表示部における表示例その５を説明するための図である。
【図８】雨滴センサを用いるその他の実施の形態を説明するための図である。
【発明を実施するための形態】
【００２３】
（本発明の実施の形態に係る情報表示装置１の構成について）
本発明の実施の形態に係る情報表示装置１の構成について図１を参照して説明する。図１は、情報表示装置１の要部ブロック構成図である。情報表示装置１は、図１に示すように、ＧＰＳ(Global Positioning System)受信部１０、状態検出部１１、記憶部１２、表示部１３、操作部１４、雨滴検出部１５、音声出力部１６、および制御部１７から構成されている。なお、情報表示装置１は、ＰＮＤとしての機能を有するものとする。
【００２４】
なお、請求項でいう液滴検出部は、雨滴検出部１５に相当する。また、請求項でいう表示形態制御部は、制御部１７に相当する。
【００２５】
ＧＰＳ受信部１０は、ＧＰＳ衛星（不図示）からの信号を受信することにより、ＰＮＤとしての情報表示装置１の位置を測定するものである。
【００２６】
状態検出部１１は、ジャイロセンサ、加速度センサ（不図示）などにより、ＰＮＤとしての情報表示装置１の動作を感知してＧＰＳによって測定された自己の位置を補正するものである。
【００２７】
記憶部１２は、メモリ（内蔵および／または外付け）、ＨＤＤ(Hard Disc Drive)またはフラッシュメモリなどを備え、地図情報、地点情報、およびテキスト用フォントなどを記憶するものである。また、記憶部１２は、楽曲や画像など、ユーザの好みのデータを記憶することもできる。
【００２８】
表示部１３は、地図、案内表示、文字、画像、および動画などを制御部１７の駆動制御によって表示するものであり、液晶表示素子または有機ＥＬ(Electro Luminescence)表示素子などからなるものである。さらに、表示部１３は、液晶表示素子または有機ＥＬ表示素子などの表面にガラス板またはアクリル板などの透明板を配置したようなものであってもよい。あるいは、表示部１３は、前述の透明板の代わりに図柄または文字などが配置された板であっても外部から液晶表示素子または有機ＥＬ表示素子などに表示される情報が視認可能な態様であれば何でもよい。
【００２９】
操作部１４は、ユーザが情報表示装置１に対して操作を行うためのユーザインタフェースであり、表示部１３に重畳されるタッチパネルと、タッチパネル以外のスイッチまたはボタンなどが含まれる。なお、操作部１４は、タッチパネルとタッチパネル以外のスイッチまたはボタンのいずれかとしてもよい。
【００３０】
雨滴検出部１５は、たとえば情報表示装置１の筐体に取り付けられ、水滴を検出するセンサである。このセンサは、たとえば狭い間隔で配置された２つの電極を有し、この２つの電極間に水滴が付着することによって２つの電極間が導通すると出力を行うものである。このセンサは、ユーザの指などが誤って接触しないように保護カバー（不図示）で覆われていることが好ましい。この保護カバーは、液体のセンサへの浸入については阻害しないようになっていることが好ましい。
【００３１】
あるいは、雨滴検出部１５は、操作部１４のタッチパネルの入力状況を監視するものである。たとえば雨滴検出部１５は、雨滴がタッチパネルに付着することによって、一定時間以上、同じ位置のタッチが検出された場合に雨滴と判断するものである。なお、ユーザの指などによる操作と雨滴の付着とを区別する方法としては、たとえばユーザの指などによるタッチパネルへのタッチの場合、同時にタッチされる箇所は、高々数箇所である。これに対し、タッチパネルへのタッチが多数の箇所に及んだ場合、これを雨滴の付着と判断すればよい。
【００３２】
あるいは、雨滴検出部１５は、雨滴がタッチパネルに落下する際のタッチパネルにおける入力状況の変化のパターンを予めシミュレーションによって調べておき、このパターンを記憶部１２に記憶しておく。これにより雨滴検出部１５は、実際のタッチパネルの入力状況がこのパターンと類似しているときに雨滴の落下と判断するようにしてもよい。この場合も前述したように、ユーザの指などによる操作と雨滴の付着とを区別する方法としては、たとえばユーザの指などによるタッチパネルへのタッチの場合、同時にタッチされる箇所は、高々数箇所である。これに対し、タッチパネルへのタッチが多数の箇所に及んだ場合、これを雨滴の付着と判断すればよい。
【００３３】
なお、タッチパネルの方式は、超音波表面弾性波方式、画像認識方式、抵抗膜方式、または静電容量方式などの如何なる方式でもよい。
【００３４】
また、上述した水滴を検出するセンサとして、操作部１４のタッチパネルと同等なものを操作部１４のタッチパネルとは別途設けてもよい。
【００３５】
音声出力部１６は、制御部１７から出力されるデジタル音声データに対し、デジタル／アナログ変換部（不図示）、音声増幅部（不図示）、およびスピーカ（不図示）を用いて音声信号を出力するものである。これにより、情報表示装置１の操作または経路案内に関する操作音または案内音声の出力、さらには、記憶部１２に記憶された楽曲再生音などの出力も行うものである。
【００３６】
制御部１７は、上述した各部の制御を行うものであると共に、本発明の実施の形態においては、情報表示装置１をＰＮＤとして動作させるものである。すなわち、制御部１７は、ナビゲーションを行うための基本的な各種の機能を有する。たとえば制御部１７は、ＣＰＵ(Central Processing Unit)、ＲＯＭ(Read Only Memory)、ＲＡＭ(Random Access Memory)、ＨＤＤおよび／またはフラッシュメモリなどから構成され、予めＲＯＭに書き込まれた制御プログラムにしたがって、ＧＰＳ受信部１０、状態検出部１１などからの情報に基づいてユーザをユーザが設定した目的地まで誘導する機能を有する。
【００３７】
（情報表示装置１の動作について）
次に、情報表示装置１の制御部１７の動作について図２を参照して説明する。図２は、制御部１７の動作を説明するためのフローチャートである。なお、図２のフローチャートは、制御部１７の動作のうち、表示部１２の表示形態変更に関する動作に限定した動作である。
【００３８】
ＳＴＡＲＴ：制御部１７は、情報表示装置１の電源がＯＮ状態になるとステップＳ１の処理へ移行する。
【００３９】
ステップＳ１：制御部１７は、雨滴検出部１５における水滴の検出に対応する信号の入力の有無を判断する。すなわち、制御部１７は、雨滴検出部１５における水滴の検出に対応する信号が入力された場合（ステップＳ１でＹｅｓ）、ステップＳ２の処理へ移行する。一方、制御部１７は、雨滴検出部１５における水滴の検出に対応する信号が入力されていない場合（ステップＳ１でＮｏ）、ステップＳ１の処理を繰り返し実行する。
【００４０】
ステップＳ２：制御部１７は、表示部１３の表示形態を変更し、ステップＳ３の処理へ移行する。
【００４１】
ステップＳ３：制御部１７は、雨滴検出部１５が検出していた水滴の検出に対応する信号の入力が無くなったか否かを判断する。すなわち、制御部１７は、雨滴検出部１５が検出していた水滴の検出に対応する信号の入力が無くなった場合（ステップＳ３でＹｅｓ）、ステップＳ４の処理へ移行する。一方、制御部１７は、雨滴検出部１５が検出している水滴の検出に対応する信号が継続して入力される場合（ステップＳ３でＮｏ）、ステップＳ３の処理を繰り返し実行する。
【００４２】
ステップＳ４：制御部１７は、表示部１３の表示形態を元に戻し、ステップＳ５の処理へ移行する。
【００４３】
ステップＳ５：制御部１７は、ＯＮ状態となっていた情報表示装置１の電源がＯＦＦ状態になったか否かを判断する。すなわち、制御部１７は、ＯＮ状態となっていた情報表示装置１の電源がＯＦＦ状態になった場合（ステップＳ５でＹｅｓ）、処理を終了する（ＥＮＤ）。一方、制御部１７は、ＯＮ状態となっている情報表示装置１の電源がＯＦＦ状態とならない場合（ステップＳ５でＮｏ）、ステップＳ１の処理へ戻る。
【００４４】
（表示部１３の表示例その１）
次に、表示部１３の表示例その１について図３を参照して説明する。図３の情報表示装置１は、タッチパネルによる操作部１４−１と機械的スイッチによる操作部１４−２を備えるものである。
【００４５】
情報表示装置１の制御部１７は、上述したような方法によってタッチパネルである操作部１４−１上の雨滴を雨滴検出部１５により検出すると、図３右図のように、文字サイズを拡大させる。これにより、表示部１３に雨滴が付着して見え難くなった小さな文字を拡大して見え易くする。また、制御部１７は、雨滴検出部１５がタッチパネルである操作部１４−１上の雨滴を検出しなくなると、図３左図のように、元の文字サイズに戻す。なお、図３の右図の例では、文字サイズが拡大されたために「消防署」の文字が消防署を示す四角形の外に出ている。このように、文字サイズが拡大された場合には、拡大された文字が視認し易い位置に文字を若干移動させるようにしてもよい。
【００４６】
（表示部１３の表示例その２）
次に、表示部１３の表示例その１について図４を参照して説明する。図４の情報表示装置１Ａの構成は、情報表示装置１の構成と同じであるが、制御部１７Ａ（不図示）における表示部１３の表示形態の変更処理が制御部１７とは異なる。よって、情報表示装置１Ａの構成についての説明は省略する。
【００４７】
情報表示装置１Ａの制御部１７Ａは、上述したような方法によってタッチパネルである操作部１４−１上の雨滴を雨滴検出部１５により検出すると、図４右図のように、表示部１３に表示されている画像情報全体の表示サイズを拡大させる。これにより、表示部１３に雨滴が付着して見え難くなった画像情報を見え易くする。また、制御部１７Ａは、雨滴検出部１５がタッチパネルである操作部１４−１上の雨滴を検出しなくなると、図４左図のように、元の表示サイズに戻す。
【００４８】
（表示部１３の表示例その３）
次に、表示部１３の表示例その３について図５を参照して説明する。図５の情報表示装置１Ｂの構成は、情報表示装置１の構成と同じであるが、制御部１７Ｂ（不図示）における表示部１３の表示形態の変更処理が制御部１７とは異なる。よって、情報表示装置１Ｂの構成についての説明は省略する。
【００４９】
情報表示装置１Ｂの制御部１７Ｂは、上述したような方法によってタッチパネルである操作部１４−１上の雨滴を雨滴検出部１５により検出すると、図５右図のように、雨天用メニューを表示させる。これにより、表示部１３に雨滴が付着して見え難くなった晴天用メニューを雨天用メニューに変更して見え易くする。また、制御部１７Ｂは、雨滴検出部１５がタッチパネルである操作部１４−１上の雨滴を検出しなくなると、図５左図のように、元の晴天用メニューに戻す。
【００５０】
晴天用メニューでは、図５左図に示すように、たとえば９個のアイコンを表示していたものを、雨天用メニューでは、図５右図に示すように、たとえば２個のアイコンの表示に変更する。これにより、雨天用メニューでは、図５右図に示すように、アイコンサイズおよび文字サイズが共に、図５左図の晴天用メニューと比べて拡大されるので、表示部１３に雨滴の付着があってもメニューの視認が容易になる。ここでメニューとは、希望するアプリケーションをユーザが選択するために表示部１３に表示されるアイコン群である。
【００５１】
（表示部１３の表示例その４）
次に、表示部１３の表示例その４について図６および図７を参照して説明する。図６および図７の情報表示装置１Ｃの構成は、情報表示装置１と同じであるが、制御部１７Ｃ（不図示）における表示部１３の表示形態の変更処理が制御部１７とは異なる。よって、情報表示装置１Ｃの構成についての説明は省略する。
【００５２】
情報表示装置１Ｃの制御部１７Ｃは、上述したような方法によって表示部１３に重畳されているタッチパネルである操作部１４−１上の雨滴を雨滴検出部１５により検出すると、図６右図のように、雨滴が検出された操作部１４−１の範囲１８に対応する表示部１３の部分的な画像情報の表示サイズを変更する。なお、制御部１７Ｃが表示部１３に重畳されている操作部１４−１上の雨滴が付着した範囲１８を検出することは、操作部１４−１がタッチパネルであることから容易である。
【００５３】
図７は、図６の表示部１３の表示形態をそのままにして範囲１８に付着した雨滴を除去した状態を示す表示例である。図７の範囲１９が図６の範囲１８に対応している。すなわち、雨滴がレンズの役割を果たすことを考慮して図７の範囲１９の表示サイズに限定して表示部１３に表示されている画像情報を縮小している。これにより、図６の範囲１８に雨滴が付着すると、その部分の表示サイズは見かけ上で範囲１８の周囲の表示サイズと等しくなる。
【００５４】
また、制御部１７Ｃは、雨滴検出部１５がタッチパネルである操作部１４−１上の雨滴を検出しなくなると、図６左図のように、元の表示サイズに戻す。よって、実際には、図７に示すように、雨滴が付着していないにも関わらず範囲１９の表示サイズが変更されることはない。
【００５５】
上述の場合、全ての雨滴に対して表示サイズを縮小すると、視認性が悪化する可能性もあるため、所定以上の面積を有する雨滴に対して適用してもよい。また、雨滴の表面張力によってレンズ状になるため、形状が略円形の雨滴に対して適用してもよい。たとえば表示部１３上で雨滴の有する面積が直径１０ｍｍ以上の円形である場合などに適用する。
【００５６】
（その他の実施の形態）
本発明の実施の形態は、その要旨を逸脱しない限り、様々に変更が可能である。たとえば、図８の情報表示装置１Ｄは、図３と同じ表示部１３の表示例であるが、雨滴検出部１５が雨滴センサ２０を用いて雨滴を検出するところが情報表示装置１とは異なる。情報表示装置１Ｄによれば、タッチパネルである操作部１４−１Ｄによる雨滴の検出は不要になる。なお、情報表示装置１Ｄの構成は、図１と同じであり、雨滴検出部１５が雨滴センサ２０を備えているものとする。
【００５７】
なお、雨滴センサ２０は、上述したように、たとえば狭い間隔で配置された２つの電極を有し、この２つの電極間に水滴が付着することによって２つの電極間が導通すると出力を行うものである。あるいは、操作部１４のタッチパネルと同等なものを雨滴センサ２０として設けてもよい。なお、この場合、雨滴センサ２０としてのタッチパネルの面積はごく小さくてよい。これによれば、雨滴センサ２０においても非導電性の液体を検出できる。ただし、これによれば、表示部１３の雨滴付着範囲を特定する必要のある情報表示装置１Ｃは実現できない。
【００５８】
また、上述の実施の形態では、雨滴が表示部１３に付着した場合を説明したが、雨滴ではなくてもあらゆる液体の飛沫に対して適用できる。特に、タッチパネルを利用した雨滴検出であれば、非導電性の液体にも適用できる。
【００５９】
たとえば海岸付近で海水の飛沫が表示部１３に付着する際にも適用できる。また、渓流の滝壺付近などで真水の飛沫が表示部１３に付着する際にも適用できる。また、工場内などで非導電性の洗浄液などの飛沫が表示部１３に付着する際にも適用できる。
【００６０】
また、晴天用画面と雨天用画面とを手動で切替えるスイッチを設けてもよい。あるいは、いったん自動的に雨天用画面に変更された表示形態は、表示部１３上の水滴が検出されなくなってもそのまま保持され、手動操作のみによって晴天用画面に戻るようにしてもよい。
【００６１】
（プログラムの実施の形態）
また、情報表示装置１，１Ａ，１Ｂ，１Ｃ，１Ｄの制御部１７，１７Ａ，１７Ｂ，１７Ｃ，１７Ｄは、所定のプログラムにより動作する汎用の情報処理装置（ＣＰＵ、ＤＳＰ(Digital Signal Processor)、マイクロプロセッサ（マイクロコンピュータ）など）によって構成されてもよい。例えば、汎用の情報処理装置は、メモリ、ＣＰＵ、入出力ポートなどを有する。汎用の情報処理装置のＣＰＵは、メモリなどから所定のプログラムとして制御プログラムを読み込んで実行する。これにより、汎用の情報処理装置には、情報表示装置１，１Ａ，１Ｂ，１Ｃ，１Ｄの制御部１７，１７Ａ，１７Ｂ，１７Ｃ，１７Ｄの機能が実現される。
【００６２】
なお、汎用の情報処理装置が実行する制御プログラムは、情報表示装置１，１Ａ，１Ｂ，１Ｃ，１Ｄの出荷前に、汎用の情報処理装置のメモリなどに記憶されたものであっても、情報表示装置１，１Ａ，１Ｂ，１Ｃ，１Ｄの出荷後に、汎用の情報処理装置のメモリなどに記憶されたものであってもよい。また、制御プログラムの一部が、情報表示装置１，１Ａ，１Ｂ，１Ｃ，１Ｄの出荷後に、汎用の情報処理装置のメモリなどに記憶されたものであってもよい。情報表示装置１，１Ａ，１Ｂ，１Ｃ，１Ｄの出荷後に、汎用の情報処理装置のメモリなどに記憶される制御プログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００６３】
また、制御プログラムは、汎用の情報処理装置によって直接実行可能なものだけでなく、ハードディスクなどにインストールすることによって実行可能となるものも含む。また、圧縮されたり、暗号化されたりしたものも含む。
【００６４】
（本発明の実施の形態に係る効果について）
次に、本発明の実施の形態に係る効果について説明する。
【００６５】
情報表示装置１，１Ａ，１Ｂ，１Ｃ，１Ｄは、表示部１３に液滴（雨水、真水、海水、洗浄水など）が付着したか否かを検出し、表示部１３に液滴が付着していることが検出されると、表示部１３における表示形態を変更するものである。
【００６６】
これにより、降雨時などに使用する際にも表示画面に表示されている情報の視認性を良好に保つことができる。
【００６７】
たとえば、情報表示装置１は、表示部１３に液滴が付着したか否かを検出し、表示部１３に液滴が付着していることが検出されると、表示部１３に文字情報が表示されているときには、表示部１３における文字サイズを変更するようにする。
【００６８】
これによれば、表示部１３への雨滴などの付着によって見え難くなる文字情報を見え易くすることができる。
【００６９】
たとえば、情報表示装置１Ａは、表示部１３に液滴が付着したか否かを検出し、表示部１３に液滴が付着していることが検出されると、表示部１３における情報の表示サイズを変更するようにする。
【００７０】
これによれば、表示部１３への雨滴などの付着によって見え難くなる画面全体の表示情報を全体的に見え易くすることができる。
【００７１】
たとえば、情報表示装置１Ｂは、表示部１３に液滴が付着したか否かを検出し表示部１３に液滴が付着していることが検出されると、表示部１３におけるアプリケーション選択メニューの表示形態を変更するようにする。
【００７２】
これによれば、たとえば晴天用メニューと雨天用メニューとを用意しておき、表示部１３への雨滴の付着の有無によってこれらのメニューを切り替えることができる。これにより、雨天時には、表示部１３への雨滴の付着によっても見え難くならないように配慮された雨天用の表示を行うことができる。
【００７３】
たとえば、情報表示装置１Ｃは、表示部１３のいずれの部分に液滴が付着したかを検出し、表示部１３のいずれかの部分に液滴が付着していることが検出されると、表示部１３における液滴が付着している部分に限定して表示サイズを変更するようにする。
【００７４】
これによれば、ユーザから見ると、表示部１３に雨滴などが付着した場合も表示部１３の表示形態に変化が無いかのように見え、ユーザに、晴天時においても雨天時においても見かけ上で変化の無い表示を提供できる。
【００７５】
また、情報表示装置１Ｄは、雨滴センサ２０を備えることにより、タッチパネル１４−１Ｄにより雨滴を検出する処理を省略できる。
【００７６】
また、情報表示装置１，１Ａ，１Ｂ，１Ｃ，１Ｄを備えるナビゲーション装置によって、雨天時でも表示が見え易いＰＮＤを実現できる。
【００７７】
また、汎用の情報処理装置とプログラムによって情報表示装置１，１Ａ，１Ｂ，１Ｃ，１Ｄの機能を実現することにより、大量生産や仕様変更（または設計変更）に対して柔軟に対応可能となる。
【符号の説明】
【００７８】
１，１Ａ，１Ｂ，１Ｃ，１Ｄ…情報表示装置、１０…ＧＰＳ受信部、１１…状態検出部、１２…記憶部、１３…表示部、１４…操作部、１５…雨滴検出部（液滴検出部）、１６…音声出力部、１７…制御部（表示形態制御部）、２０…雨滴センサ（液滴検出部）
【図１】
2011002382.tif 000003
【図２】
2011002382.tif 000004
【図３】
2011002382.tif 000005
【図４】
2011002382.tif 000006
【図５】
2011002382.tif 000007
【図６】
2011002382.tif 000008
【図７】
2011002382.tif 000009
【図８】
2011002382.tif 000010